(57)【要約】      （修正有）【課題】ディップル等が発生せず均一で研磨精度の良好な研磨工具を提供する。【解決手段】工具枠体１に付設された緩衝材２を介して粒度の違う研磨布３Ａ、３Ｂ、３Ｃ、３Ｄ、３Ｅが工具中心から外周方向に向けて同心円状に貼り付けられている。これらの研磨布３Ａ、３Ｂ、３Ｃ、３Ｄ、３Ｅは内方側から順に粒度が大きくなるものを並設している。研磨面に並設された研磨布の上面に環状の溝を形成したもので、この溝に砥粒が滞留する。【選択図】図１
2009000749.tif 000002
【特許請求の範囲】
【請求項１】
光学素子の非球面研磨を行う研磨工具の面に、研磨粒度の異なる複数個の研磨布を並設させたことを特徴とする非球面研磨工具。
【請求項２】
複数個の研磨布が研磨粒度が異なり、かつ環状をなし内方より順に粒度を大きくして並設されたものであることを特徴とする請求項１記載の非球面研磨工具。
【請求項３】
研磨布上に複数の環状溝が形成されたことを特徴とする請求項１記載の非球面研磨工具。
【請求項４】
環状の溝が外周に近づくにつれて密に並設されていることを特徴とする請求項３記載の非球面研磨工具。
【発明の詳細な説明】
【技術分野】
【０００１】
本発明は、非球面形状を有する光学素子の研磨における研磨工具に関する。
【背景技術】
【０００２】
非球面光学素子の一般的な研磨方法としては、つぎの２つに大別される。第１の方法は、金型を利用した成形による研磨方法である。そして第２の方法は、ダイヤモンドバイトによる切削加工や、ダイヤモンドやＣＢＮ砥粒などの超砥粒ホイールによる研削加工といった機械加工の後に、遊離砥粒などを用いての光学研磨による方法である。この２つの研磨方法の中で非球面光学素子の研磨方法としては遊離砥粒を用い研磨工具にて研磨する方法が主流となっている。
【０００３】
ところで、従来から光学素子の研磨工具として使用されている非球面研磨工具(以下簡単に「研磨工具」という)は図４において符号Ｋに示すとおりである。一般的には形状精度の悪化を防ぐために被加工品すなわち光学素子４の大きさに比べて小さく構成されている。この研磨工具Ｋは図４に示すとおり研磨装置（図示せず）からの負荷を支持する工具枠体１と、この工具枠体１に付設された緩衝材２およびこの緩衝材２に付設された研磨布３で構成されている。この研磨布３には、光学素子４の表面に直接接する１ｍｍ前後の薄い研磨布３または、数十ミクロンの研磨シートを研磨装置（図示せず）からの荷重を支持する研磨工具Ｋに緩衝材２を介して一枚物として、または複数片に分けたものを工具全体にわたって貼り付けた構成となっている（特許文献１参照）。
【０００４】
研磨においては、遊離砥粒を含んだ研磨液を供給しながら研磨工具Ｋを連続回転させ被加工品の大きさに見合ったストローク分を前後、および左右方向へ往復運動させて研磨を行う。更に高精度非球面を達成するためには形状の悪化した部分については、部分修正が必要となるが、その場合には往復運動させずに、定点研磨を繰り返すことで高精度非球面を得るようにしている。
【特許文献１】特開２００１−１１３４５２号公報
【発明の開示】
【発明が解決しようとする課題】
【０００５】
研磨の対象となる光学素子４などの被加工品は金型などによって成形されるが、金型による成形品は、厚みの高低差が大きいものや、外形形状が円形でないものは成形が困難である。したがって成形できる形状についての制約が多く、更に金型材料と成形材料の膨張係数の違いから生じるヒケなどにより高精度な非球面を達成することはできない。また、切削加工や研削加工の機械加工後の研磨工具Ｋを用いた光学研磨では、研磨工具Ｋを中心に最大荷重がかかり周辺部にかけて荷重が小さくなっていくために、光学素子４の中心付近が研磨量最大となって図４に示すような凹部（ディップル）Ｄが発生しやすい。
【０００６】
また研磨液を供給しながら研磨を行う際には、ツールの回転による遠心力が作用して研磨液は中心付近から周辺部へと移動していき、遂には研磨工具Ｋの外方へと逃げてしまうが、研磨液の滞留時間は外周部にいくにつれて周速度が早くなるため、短くなる。これらの原因で研磨工具Ｋに直接接する被加工品すなわち光学素子４の面内においては研磨量の差が生じ、非球面形状を悪化させ光学性能に悪影響を及ぼしていた。
【課題を解決するための手段】
【０００７】
本発明が第１に提供する研磨工具は、上記課題を解決するために、研磨粒度の異なる複数個の研磨布を工具の面に並設したものである。したがって、各研磨粒度のいずれかを使用することによって研磨量を調整することにより、各被研磨材の研磨を適正に行うことができる。
【０００８】
本発明は、具体的には研磨工具中心部から外周部へかけて、研磨布の粒度を小さなものから大きなものへ順次変化させ、更には、研磨布上に同心円状または格子状に設けた溝について、その間隔を順次、密にした構成の研磨工具である。したがって単位時間あたりの研磨量は、研磨布の粒度が大きいほど多く、逆に小さいほど少なくなる。そのため研磨工具中心部から外周部へかけて研磨布の粒度を小さいものから大きいものへ順次変化させることで、研磨布に起因する研磨量は研磨工具中心部から外周部へかけて多くなる。
【０００９】
本発明が第２に提供する研磨工具は、研磨布上に溝を形成したものである。したがって研磨中における遊離砥粒を保持する機能が生起する。これは砥粒が溝に滞留することによるものである。この溝はたとえば環状で複数個同心状に形成される。外周になるにしたがい溝が密になっており、密な部分は疎になっている部分に比べ遊離砥粒を保持する機能が高く、研磨量が多くなる。
これらの機能を有することで、研磨工具の中央部と外周部における荷重の違いに起因する研磨量の違いを相殺することができ、研磨工具に直接接するワーク面の全領域において均等な研磨を保証する。
【発明の効果】
【００１０】
研磨粒度の異なる研磨布は容易に準備でき、これらを並設することも容易である。このような簡略な構造と操作で光学素子全面にわたって均等に研磨でき、高精度な非球面を実現することができる。以下図面に示す実施例にしたがって本発明を説明する。
【発明を実施するための最良の形態】
【００１１】
本発明は研磨工具の加工面に異なる研磨粒度の研磨布を並設することと、この研磨布上に同心円状の溝を形成することが特徴とする点である。したがって本発明としてはこれらの特徴を備えた研磨工具が最良の形態である。
【実施例１】
【００１２】
本発明が提供する研磨工具の第１の実施例は図１に示されている。図１において（Ａ）は研磨工具Ｋの先端部を側方より示す図であり、（Ｂ）は研磨工具Ｋの先端部を下方から見た図である。
研磨装置（図示せず）からの荷重を支持する研磨工具Ｋの研磨面には緩衝材２を介して研磨布３Ａ〜３Ｅが貼り付けられている。本発明はこの研磨布３Ａ〜３Ｅの構成に特徴を有し、粒度の違う研磨布３Ａ、３Ｂ、３Ｃ、３Ｄ、３Ｅが工具中心から外周方向に向けて同心円状に貼り付けられている。これらの研磨布３Ａ、３Ｂ、３Ｃ、３Ｄ、３Ｅは内方側から順に粒度が大きくなるものが並設されている。
【００１３】
図示実施例では同心円のピッチは等間隔としているが、研磨工具Ｋに直接接する光学素子４の被研磨面の全領域において等しい研磨量になるように同心円のピッチを決定するのが基本であり、したがってピッチを等しくすることに限定されるものではない。また、研磨布の種類は実施例では５種類の研磨布を記述しているが、この種類の個数についても限定されるものではない。なお図１に示す実施例では、複数種類の研磨布３Ａ〜３Ｅが円形ないし輪状をなしている例を示したが、これをたとえば八角形にすることも可能で円形に限定されるものではない。ただ円形の方が加工容易であり均一性にすぐれている。いずれにしても本発明による第１の実施例は複数種類の研磨布を並設したものであり、高精度な研磨が保障される。なお図１おいて図４と同一の符号で示される部品は図４と同一の部品であり、詳細な説明は省略する。
【実施例２】
【００１４】
本発明が提供する研磨工具の第２の実施例は、研磨工具Ｋにおける研磨面の全領域Ａに並設された研磨布３Ａ〜３Ｅの上面に環状の溝を形成したものであり、この構成は図２に示すとおりである。図２は図１の（Ｂ）に示すように研磨工具Ｋにおける研磨面側を示す図で研磨面の全領域Ａ内にリング（輪）状の溝Ｍ１〜Ｍ５が同心状に形成された状態を示している。
このリング状溝Ｍ１〜Ｍ５の間隔は図２に示すとおり中心部分から外周部分に向けて、疎から密になるようにする。リング状溝Ｍ１〜Ｍ５の本数と間隔は研磨工具に直接接するワーク面の全領域Ａにおいて等しい研磨量になるように決定するため、リング状溝Ｍ１〜Ｍ５の本数と間隔は限定しない。本発明が第２に提供する研磨工具は以上のとおりであり、このリング状溝Ｍ１〜Ｍ５に砥料が滞留し研磨機能が維持される。
【００１５】
本発明が第２に提供する研磨工具の特徴は以上詳述したとおりであるが、上記ならびに図示例に限定されるものではなく、たとえば図３に示すように直線状の直線溝Ｓを形成する実施例においても同機の機能を生起する。図３の例は直線溝Ｓが縦軸方向と横軸方向のみの例であるが、たとえば全体的に六角状の直線溝とすることもでき、本発明はこれら変形例をすべて包含する。
【図面の簡単な説明】
【００１６】
【図１】本発明が第１に提供する非球面研磨工具の構成を示す図である。
【図２】本発明が第２に提供する非球面研磨工具の構成を示す縦断面図である。
【図３】本発明が提供する非球面研磨工具の変形例を示す図である。
【図４】従来における非球面研磨工具の構成を示す図である。
【符号の説明】
【００１７】
１  工具枠体
２  緩衝材
３  研磨布
３Ａ〜３Ｅ  研磨布
４  光学素子
Ａ  全領域
Ｄ  凹部
Ｋ  研磨工具
Ｍ１〜Ｍ５  リング状溝
Ｓ  直線溝
【図１】
2009000749.tif 000003
【図２】
2009000749.tif 000004
【図３】
2009000749.tif 000005
【図４】
2009000749.tif 000006